(57)【特許請求の範囲】
【請求項１】
内容物が収容されると共に前記内容物の減少に伴い減容変形する内容器、及び前記内容器が内装される外容器を備える容器本体と、
前記容器本体の口部に装着され、且つ前記内容物を外部に吐出する吐出孔が前記内容器の内部に連通して形成された吐出キャップと、
前記吐出キャップに離脱自在に装着され、前記吐出孔を開放自在に上方から覆う蓋体と、を備え、
前記外容器には、前記内容器との間に外気を導入する外気導入孔が形成され、
前記蓋体には、前記内容器内と外部とを連通する空気孔が形成され、
前記蓋体には、前記空気孔を通した前記内容器内から外部への空気の排出を許容し、且つ前記空気孔を通した外部から前記内容器内への空気の流入を遮断する逆止弁と、排出される空気を利用して音を鳴らす吹鳴部と、が設けられていることを特徴とする二重容器。
【請求項２】
請求項１に記載の二重容器において、
前記空気孔は、前記内容器内の空気を排出させる第１空気孔と、前記第１空気孔から排出された空気を外部に排出させる第２空気孔と、を備え、
前記逆止弁は、前記第１空気孔を通した空気の排出を許容し、且つ前記第１空気孔を通した空気の流入を遮断するように配設され、
前記吹鳴部は、前記第２空気孔よりも外部側に配設されていることを特徴とする二重容器。
【請求項３】
請求項２に記載の二重容器において、
前記蓋体は、前記吐出キャップに対して第１ヒンジ部を介して回動自在に接続され、前記吐出孔を上方から覆う有頂筒状の蓋本体と、前記蓋本体に対して第２ヒンジ部を介して回動自在に接続され、前記蓋本体の頂壁部を上方から覆う蓋カバーと、を備え、
前記第１空気孔は、前記蓋本体の前記頂壁部に形成され、
前記第２空気孔は、前記蓋カバーに形成されていることを特徴とする二重容器。
【発明の詳細な説明】
【技術分野】
【０００１】
本発明は、二重容器に関する。
【背景技術】
【０００２】
従来から、紛体、粒状や錠剤状等の固形内容物用の容器として、内容物を収容する容器本体と、容器本体の口部に装着され、内容物の吐出孔が形成された吐出キャップと、を備えた振出し容器が知られている（例えば特許文献１参照）。
上記吐出キャップは、吐出孔が形成された天板を有し、容器本体の口部を塞ぐように該口部に装着された起立筒と、起立筒に対して回動自在に装着された操作部材と、を備えている。操作部材は、吐出孔を上方から閉塞する蓋板と、前方に押し込み操作されることで、蓋板を回動させて吐出孔を開放させる押込み部と、を備えている。
【先行技術文献】
【特許文献】
【０００３】
【特許文献１】特開２００４−３３１１０６号公報
【発明の概要】
【発明が解決しようとする課題】
【０００４】
しかしながら、上記従来の振出し容器では、操作部材の蓋板を利用して吐出孔を塞いでいるだけであるので、容器本体内の空気を外部に排出することができなかった。そのため、容器本体内の内容物に対する空気の接触を抑制し、さらに保存等に適した容器が求められていた。
【０００５】
本発明は、このような事情に鑑みてなされたものであって、その目的は、容器本体内の空気の排出を容易に行うことができると共に内容物への空気の接触を抑制でき、保存に適した二重容器を提供することである。
【課題を解決するための手段】
【０００６】
（１）本発明に係る二重容器は、内容物が収容されると共に前記内容物の減少に伴い減容変形する内容器、及び前記内容器が内装される外容器を備える容器本体と、前記容器本体の口部に装着され、且つ前記内容物を外部に吐出する吐出孔が前記内容器の内部に連通して形成された吐出キャップと、前記吐出キャップに離脱自在に装着され、前記吐出孔を開放自在に上方から覆う蓋体と、を備え、前記外容器には、前記内容器との間に外気を導入する外気導入孔が形成され、前記蓋体には、前記内容器内と外部とを連通する空気孔が形成され、前記蓋体には、前記空気孔を通した前記内容器内から外部への空気の排出を許容し、且つ前記空気孔を通した外部から前記内容器内への空気の流入を遮断する逆止弁と、排出される空気を利用して音を鳴らす吹鳴部と、が設けられていることを特徴とする。
【０００７】
本発明に係る二重容器によれば、蓋体を吐出キャップから離脱させて吐出孔を開放させることで、吐出孔を通じて容器本体内から内容物を外部に吐出することができる。
内容物を保存する場合には、蓋体を元の状態に戻して吐出孔を上方から塞いだ後、内容器を減容変形させ、空気孔を通じて内容器内の空気を外部に強制的に排出させる。この際、逆止弁を有しているので、内容器内への空気の流入を遮断しつつ、内容器内から外部への空気の排出だけを行えるため、内容器内の空気を徐々に減少させることができる。また、内容器の減容変形によって内容器と外容器との間が負圧になるので、外気導入孔を通じて内容器と外容器との間に外気（空気）を導入することができる。これにより、内容器を減容変形させたままの状態にすることができる。
【０００８】
従って、内容物の減少に伴って内容器を減容変形させることができると共に、内容器内の空気を外部に排出することで内容器内に空気が残留することを抑制することができる。特に、吹鳴部を備えているので、内容器内から空気を排出する際に音を鳴らして使用者に報知することができる。従って、使用者は、内容器内の空気が適切に排出されていることを容易に把握することができると共に、音が鳴らなくなることで内容器内から空気が排出されたことを把握し易い。
【０００９】
その結果、容器本体内に残っている内容物が空気に接触することを抑制した状態で保存を行うことができ、内容物の酸化等を防止して長期保存を行うことができる。
また、内容器を減容変形させることができるので、使用前或いは保存中のいずれの場合であっても、内容物を内容器で包み込むように保持することが可能である。従って、内容物を内容器で保持した状態で二重容器を移動等させたとしても、内容器内で内容物が動くことを防止することができ、例えば内容物同士が接触することで割れや欠け等が発生することを防止できる。そのため、内容物の品質を維持することができると共に、内容物に対して格別な注意を払う必要がないので二重容器を持ち運び易い。なお、このような作用効果は、内容物が錠剤等の場合に特に効果的に奏功できる。
【００１０】
（２）前記空気孔は、前記内容器内の空気を排出させる第１空気孔と、前記第１空気孔から排出された空気を外部に排出させる第２空気孔と、を備え、前記逆止弁は、前記第１空気孔を通した空気の排出を許容し、且つ前記第１空気孔を通した空気の流入を遮断するように配設され、前記吹鳴部は、前記第２空気孔よりも外部側に配設されていても良い。
【００１１】
この場合には、内容器を減容変形させることで、内容器内の空気を、第１空気孔及び逆止弁を通過させた後に第２空気孔を通じて外部に排出させることができる。そして吹鳴部を第２空気孔よりも外部側に配設しているので、空気の排出に伴って発生する音を籠らせることなく、明瞭に鳴らすことができる。従って、使用者は音の有無に基づいて内容器内からの空気の排出具合を把握し易くなる。
【００１２】
（３）前記蓋体は、前記吐出キャップに対して第１ヒンジ部を介して回動自在に接続され、前記吐出孔を上方から覆う有頂筒状の蓋本体と、前記蓋本体に対して第２ヒンジ部を介して回動自在に接続され、前記蓋本体の頂壁部を上方から覆う蓋カバーと、を備え、前記第１空気孔は、前記蓋本体の前記頂壁部に形成され、前記第２空気孔は、前記蓋カバーに形成されていても良い。
【００１３】
この場合には、第１ヒンジ部回りに蓋本体を回動させることで、吐出キャップに対して蓋体の全体を速やかに離脱及び装着できるので、操作性を向上することができる。また、第２ヒンジ部回りに蓋カバーを回動させることで、蓋本体の頂壁部を露出させることができるので、例えば逆止弁の取付け作業や点検作業等を容易に行うことができる。
【発明の効果】
【００１４】
本発明に係る二重容器によれば、容器本体内の空気の排出を容易に行うことができ、内容物への空気の接触を抑制することができる。そのため、内容物の長期保存に適した容器とすることができる。
【図面の簡単な説明】
【００１５】
【図１】本発明に係る二重容器の実施形態を示す縦断面図である。
【図２】図１に示す二重容器の底面図である。
【図３】図１に示す二重容器における口部の周辺を拡大した縦断面図である。
【図４】図３に示す状態から、蓋体をあけて吐出孔を開放させた状態を示す二重容器の縦断面図である。
【図５】図３に示す状態から、内容器内の空気を外部に排出している状態を示す二重容器の縦断面図である。
【図６】図１に示す状態から、内容器を減容変形させた状態を示す二重容器の縦断面図である。
【発明を実施するための形態】
【００１６】
以下、本発明に係る実施形態について図面を参照して説明する。なお、以下の説明に用いる各図面では、各部材を認識可能な大きさとするために縮尺を適宜変更している。
【００１７】
図１に示すように、本実施形態の二重容器１は、内容物Ｗが収容されると共に内容物Ｗの減少に伴い減容変形（しぼみ変形）する可撓性に富む内容器２、及び内容器２が内装される外容器３を有する容器本体４と、容器本体４の口部４ａに離脱自在に装着され、内容物Ｗの吐出孔５が形成された筒状の吐出キャップ６と、吐出キャップ６に離脱自在に装着され、吐出孔５を開放自在に上方から覆う有頂筒状の蓋体７と、を備えている。
【００１８】
なお、内容物Ｗは、粉状、粒状や錠剤状等の固形の内容物であって、例えば食品、医薬品、工業製品等、各種の分野から幅広く選択することが可能である。具体的には、例えば紛体調味料や小麦粉等の紛体状の食品が挙げられる。また、カプセルやソフトカプセル等の粒状の医薬品が挙げられる。さらには、清涼菓子やサプリメント、薬剤等の錠剤製品が挙げられる。但し、ここで記載したものは内容物Ｗの一例であって、これらの場合に限定されるものではない。
なお、図１及び図６では、ドット柄のハッチングで内容物Ｗを模式的に表しているが、内容物Ｗの形状を特定しているものではない。
【００１９】
内容器２及び外容器３は、それぞれの中心軸が共通軸上に位置された状態で配設されている。そして、吐出キャップ６及び蓋体７はこの共通軸と同軸に配置されている。
本実施形態では、この共通軸を容器軸Ｏといい、容器軸Ｏに沿った蓋体７側を上側、その反対側を下側という。また、容器軸Ｏ方向から見た平面視において、容器軸Ｏに直交する方向を径方向といい、容器軸Ｏ回りに周回する方向を周方向という。
【００２０】
容器本体４は、例えばブロー成形により形成され、外容器３の内面に内容器２が剥離可能に積層された積層剥離型容器（デラミボトル）とされている。
ブロー成形としては、例えば押出成形等によって二重（内外）に組み合わされた積層パリソンを形成し、この積層パリソンをブロー成形することで容器本体４を形成しても良い（押出ブロー成形）。また、射出成形等によって外容器用のプリフォーム、及び内容器用のプリフォームを形成し、これらを二重（内外）に組み合わせた後、二軸延伸ブロー成形することで容器本体４を形成しても構わない。
なお、外容器用のプリフォームを先に二軸延伸ブロー成形して外容器３を形成した後、内容器用のプリフォームを内部に配置し、その後、内容器用のプリフォームを二軸延伸ブロー成形することで容器本体４を形成しても構わない。
【００２１】
なお、内容器２及び外容器３の材質は樹脂材料とされ、剥離可能な組み合わせであれば互いに同材質でも構わないし異材質でも構わない。樹脂材料の一例としては、例えば、ＰＥＴ（ポリエチレンテレフタレート）、ＰＰ（ポリプロピレン）、ＰＥ（ポリエチレン）、ナイロン（ポリアミド）、ＥＶＯＨ（エチレン−ビニルアルコール共重合体）等が挙げられる。これらの樹脂材料の中から、外容器３と内容器２とは剥離可能（相溶性がない）となる組み合わせで形成される。
【００２２】
容器本体４は、口部４ａ、肩部４ｂ、胴部４ｃ及び底部４ｄが上側から順に連設された有底筒状に形成されている。図示の例では、肩部４ｂは上側から下側に向かうにしたがい漸次拡径し、胴部４ｃは横断面視円形状に形成されている。
なお、容器本体４を構成する外容器３はスクイズ変形可能とされ、この外容器３のスクイズ変形に伴って内容器２は減容変形する。よって、外容器３のうち少なくとも胴部４ｃに位置する部分は、径方向内側（容器内側）に向けて弾性変形可能とされている。
【００２３】
容器本体４の口部４ａは、肩部４ｂの上端開口部から上方に向けて延びるように形成され、内容器２の口部２ａと外容器３の口部３ａとが積層された構成とされている。
底部４ｄは、図１及び図２に示すように、胴部４ｃに連設されると共に外周縁部に位置する接地部１０と、接地部１０に連設されると共に容器内側に底上げされた陥没凹部１１と、を備えている。
なお、図示の例では陥没凹部１１は、容器軸Ｏ方向から見た平面視で、互いに直交する２方向に向けて延びる十字状に形成されている。但し、陥没凹部１１の形状はこの場合に限定されるものではない。
【００２４】
陥没凹部１１には、外容器３の一部が内容器２の一部を挟み込んだ状態で一体的に保持された保持リブ１２と、外容器３と内容器２との間に外気（空気）を導入する外気導入孔１３と、が形成されている。
保持リブ１２は、径方向に沿って延びるように形成されていると共に、容器軸Ｏを挟んで径方向の反対側に配置されるように一対設けられている。また保持リブ１２は、陥没凹部１１から下方に向かって突出するように形成され、そのリブ高さは陥没凹部１１内に収まる程度とされている。これにより、保持リブ１２に邪魔されることなく、接地部１０を介して二重容器１を安定して載置することが可能とされている。
【００２５】
保持リブ１２は、例えば容器本体４をブロー成形で成形した後、内容器２の底部部分の一部を、外容器３の底部部分の一部で挟み込んだ状態で径方向の両側から外力を加えられることで接着されることで形成されている。例えばブロー成形の際に、金型のピンチオフ部で保持リブ１２となる部分を挟み込むことで形成される。この場合には、保持リブ１２は金型のパーティングライン上に形成される。
なお、保持リブ１２の形成時、横穴状の凹部を、その開口方向が交互に逆向きとなるように保持リブ１２の延在方向に沿って複数形成することが好ましい。このようにすることで、外容器３と内容器２とを圧着された圧着部１２ａ（図１参照）を保持リブ１２に沿って交互に配置することができ、内側に挟み込んだ内容器２の一部に対する保持の信頼性を高めることができる。
【００２６】
外気導入孔１３は、保持リブ１２の延長線上に沿って形成されたスリットであり、一対の保持リブ１２の間に位置するように形成されている。
【００２７】
吐出キャップ６は、図１及び図３に示すように、容器本体４の口部４ａに螺着された外筒部２０と、外筒部２０の上端部から径方向の内側に向かって突出し、容器本体４の口部４ａの開口端縁上に配置された環状のフランジ部２１と、フランジ部２１の内縁部から上方に向かって突出した吐出筒部２２と、を備えている。吐出筒部２２は内容器２の内部に連通しており、その内側が内容物Ｗを吐出する吐出孔５とされている。
なお吐出キャップ６は、容器本体４の口部４ａに対して螺着される場合に限定されるものではなく、例えばアンダーカット嵌合されていても構わない。
【００２８】
蓋体７は、吐出キャップ６に対して第１ヒンジ部３２を介して回動自在に接続され、吐出孔５を上方から覆う有頂筒状の蓋本体３０と、蓋本体３０に対して第２ヒンジ部３３を介して回動自在に接続され、蓋本体３０の頂壁部３６をさらに上方から覆う蓋カバー３１と、を備えている。
【００２９】
蓋本体３０は、周壁部３５と頂壁部３６とで有頂筒状に形成され、吐出キャップ６における外筒部２０の上端部に離脱自在に外嵌されている。
周壁部３５は、吐出筒部２２を径方向の外側から囲んでいると共に、吐出筒部２２よりも上方に突出している。第１ヒンジ部３２は、周壁部３５の下端部と外筒部２０の上端部とを接続している。これにより、第１ヒンジ部３２回りに蓋本体３０を回動させることで、蓋体７の全体を吐出キャップ６から離脱させて、吐出孔５を開放することが可能とされている（図４参照）。
【００３０】
頂壁部３６には、下方に向けて突出したシール筒部３７が形成されている。このシール筒部３７は、吐出筒部２２に対して上方から離脱自在に嵌合（例えばアンダーカット嵌合）されている。
頂壁部３６の中央部分には、該頂壁部３６を上下に貫通する貫通孔３８が形成されている。図示の例では、貫通孔３８は容器軸Ｏ方向から見た平面視で円形状に形成され、容器軸Ｏと同軸に配置されている。また、頂壁部３６には、該頂壁部３６を上下に貫通する第１空気孔３９が貫通孔３８を囲むように周方向に間隔をあけて複数形成されている。これにより、内容器２内の空気は、容器本体４のスクイズ変形によって第１空気孔３９を通じて内容器２内から排出される。
【００３１】
さらに、頂壁部３６の中央部分における上面には、容器軸Ｏ方向から見た平面視で円形状に僅かに窪む段差部４０が形成され、該段差部４０内に逆止弁４１が配置されている。
逆止弁４１は、上記貫通孔３８内に上方から挿入された軸部４２と、軸部４２の上端部から径方向の外側に向かって突出し、外縁部が段差部４０の底面に着座した弁本体４３と、を備えている。
軸部４２の下端部には、径方向の外側に向かって突出し、頂壁部３６に下方から係止する係止突起４４が形成されている。これにより、逆止弁４１は上方への抜け止めがされた状態で頂壁部３６に取り付けられている。
【００３２】
弁本体４３は、容器軸Ｏ方向から見た平面視で円形状に形成され、外縁部が段差部４０の内側面に対して径方向の内側から接触或いは近接した状態で着座している。この弁本体４３の外縁部は、上方に向けて弾性変形可能とされている。よって逆止弁４１は、第１空気孔３９を通した内容器２内から外部への空気の排出を許容し、且つ第１空気孔３９を通した外部から内容器２内への空気の流入を遮断している。
【００３３】
なお、第１空気孔３９は貫通孔３８を囲むように形成されている場合に限定されるものではなく、例えば軸部４２と弁本体４３の外縁部との間に配置されていれば良い。また、段差部４０は必須なものではなく、例えば頂壁部３６の上面に弁本体４３の外縁部が着座するように逆止弁４１を取り付けても構わない。
【００３４】
蓋カバー３１は、上方に向けて凸の曲面状に膨らむドーム状に形成され、蓋本体３０における周壁部３５の上端部に離脱自在に外嵌されている。第２ヒンジ部３３は、蓋カバー３１の外縁部と周壁部３５の上端部とを接続している。これにより、第２ヒンジ部３３回りに蓋カバー３１を回動させることで、蓋本体３０の頂壁部３６を大きく露出させることが可能とされている。
【００３５】
図示の例では、第２ヒンジ部３３は容器軸Ｏを挟んで第１ヒンジ部３２とは径方向の反対側に配置されている。但し、第２ヒンジ部３３は、第１ヒンジ部３２に対して周方向にずれた位置に形成されていれば良く、第１ヒンジ部３２に対して容器軸Ｏを挟んだ反対側に配置される場合に限定されるものではない。
【００３６】
蓋カバー３１の中央部分には、下方に向けて凹んだ収容凹部４５が形成されている。図示の例では、収容凹部４５は容器軸Ｏ方向から見た平面視で円形状に形成されている。収容凹部４５の下面と逆止弁４１との間には、若干の隙間があいている。
【００３７】
収容凹部４５の中央部分には、該収容凹部４５を上下に貫通し、第１空気孔３９から排出された空気を外部に排出させる第２空気孔４６が形成されている。第２空気孔４６は、容器軸Ｏ方向から見た平面視で円形状に形成され、容器軸Ｏと同軸に配置されている。
なお、第１空気孔３９及び第２空気孔４６は、内容器２内と外部とを互いに協働して連通する空気孔４７として機能する。
【００３８】
収容凹部４５内には、第２空気孔４６を通じて排出される空気を利用して音を鳴らす吹鳴部５０が収容されている。
この吹鳴部５０は、収容凹部４５の内側に嵌合される嵌合筒部５１、及び蓋カバー３１の上面と略面一とされた天壁部５２を有する有頂筒状に形成され、第２空気孔４６よりも外部側に配置されている。
【００３９】
吹鳴部５０の内部には、第２空気孔４６から排出された空気が流入する空間部５３が形成されている。天壁部５２の中央部分には、天壁部５２を上下に貫通し、空間部５３と外部とを連通させる連通孔５４が形成されている。
図示の例では、連通孔５４は容器軸Ｏ方向から見た平面視で円形状に形成され、容器軸Ｏと同軸に配置されている。但し、連通孔５４の位置や形状はこの場合に限定されるものではない。
【００４０】
このように吹鳴部５０が配置されているので、第２空気孔４６から排出された空気は、その一部が天壁部５２に接触することで流れが乱され、気流の乱れに起因した空気の渦（いわゆるカルマン渦）を空間部５３内に繰り返し発生させながら、連通孔５４を通じて外部に抜ける。その際、空気の渦の発生と消滅とが繰り返されることによる圧力変動が空間部５３内で生じるので、この圧力変動を音源として音を発生させることが可能となる。
【００４１】
なお、吹鳴部５０の嵌合筒部５１には、蓋カバー３１に対して上方から重なるように配置されたアーム片５５の上端部が接続されている。このアーム片５５の下端部は、第３ヒンジ部５６を介して蓋カバー３１の外縁部に接続されている。
これにより、第３ヒンジ部５６回りにアーム片５５を回動させることで、吹鳴部５０を収容凹部４５内から離脱させることが可能とされている。但し、アーム片５５は必須なものではなく、具備しなくても構わない。
【００４２】
（二重容器の作用）
このように構成された二重容器１を使用する場合について説明する。
内容物Ｗを吐出する場合には、図４に示すように、第１ヒンジ部３２回りに蓋本体３０を回動させることで吐出キャップ６に対して蓋体７の全体を離脱させ、吐出孔５を開放させる。これにより、例えば容器本体４を傾倒又は上下反転させることで、吐出孔５を通じて内容物Ｗを外部に吐出することができる。
【００４３】
その後、内容物Ｗを保存する場合には、第１ヒンジ部３２回りに蓋本体３０を逆方向に回動させ、図３に示すように吐出キャップ６に対して蓋体７の全体を装着させる。そして、吐出孔５を上方から塞いだ後、容器本体４の外容器３を径方向内側にスクイズ変形（弾性変形）させる。これにより、内容器２が外容器３と共に径方向内側に変形して減容するので、図５に示す矢印のように、内容器２内の空気を、第１空気孔３９及び第２空気孔４６を通じて外部に排出することができる。
【００４４】
この際、逆止弁４１を有しているので、第１空気孔３９を通じた内容器２内への空気の流入を遮断しつつ、第１空気孔３９を通じた内容器２内から外部への空気の排出だけを行うことができる。従って、スクイズ変形を繰り返し行うことにより、内容器２内の空気を徐々に減少させることができる。
【００４５】
また、容器本体４のスクイズ変形を解除することで、外容器３が復元変形し始めるので、外容器３と内容器２との間が負圧となる。これにより、外気導入孔１３を通じて外容器３と内容器２との間に外気を導入することができ、外容器３が復元変形したとしても、内容器２を減容変形させたままの状態にすることができる。
従って、図６に示すように、内容物Ｗの減少に伴って内容器２を減容変形させることができると共に、内容器２内の空気を外部に排出することで、内容器２内に空気が残留することを抑制することができる。
【００４６】
特に、吹鳴部５０を備えているので、図５に示すように第２空気孔４６から排出された空気は、吹鳴部５０の空間部５３内に流入すると共に空間部５３内で空気の渦（いわゆるカルマン渦）を繰り返し発生させながら、連通孔５４を通じて外部に抜ける。その際、空気の渦の発生と消滅とが繰り返されることによる圧力変動が空間部５３内で生じるので、この圧力変動を音源として音を発生させることができる。このように、吹鳴部５０を備えていることで、内容器２内から空気を排出する際に音を鳴らして使用者に報知することができる。
【００４７】
従って、使用者は内容器２内の空気が適切に排出されていることを容易に把握することができると共に、音が鳴らなくなることで内容器２内から空気が排出されたことを把握し易い。その結果、容器本体４内に空気が残留することを抑制でき、容器本体４内に残っている内容物Ｗが空気に接触することを抑制した状態で保存を行える。
【００４８】
従って、内容物Ｗの酸化等を防止することや、空気中の水分による内容物Ｗへの影響を抑制することができる。より具体的には、例えば空気中の水分（湿気）による紛体内容物の固化や錠剤内容物への吸湿を抑制することができる。よって、本実施形態の二重容器１によれば、内容物Ｗの長期保存に適した容器とすることができる。
【００４９】
しかも、吹鳴部５０は蓋カバー３１の収容凹部４５内に収容され、第２空気孔４６よりも外部側に配設されているので、空気の排出に伴って発生する音を籠らせることなく、明瞭に鳴らすことができる。従って、使用者は音の有無に基づいて内容器２内からの空気の排出具合を把握し易い。
【００５０】
また、内容物Ｗの減少に伴って内容器２を減容変形させることができるので、図６に示すように、内容物Ｗを内容器２で包み込むように保持することができる。従って、内容物Ｗを内容器２で保持している状態で二重容器１を移動等させたとしても、内容物Ｗが内容器２内で動くことを防止でき、例えば内容物Ｗ同士が接触して割れや欠けが生じることを防止できる。なおこの作用効果は、例えば内容物Ｗの形状が大きく、且つ乾燥している場合（錠剤状の内容物等の場合）に特に効果的に奏功できる。そのため、内容物Ｗの品質を維持することができると共に、内容物Ｗに対して格別な注意を払う必要がないので、二重容器１を持ち運び易い。
【００５１】
さらに、第１ヒンジ部３２回りに蓋本体３０を回動させることで、吐出キャップ６に対して蓋体７の全体を速やかに離脱及び装着できるので、操作性を向上することができる。また、第２ヒンジ部３３回りに蓋カバー３１を回動させることで、蓋本体３０の頂壁部３６を大きく露出させることができるので、逆止弁４１の取付け作業や点検作業等を容易に行うことができる。さらに、第３ヒンジ部５６回りにアーム片５５を回動させることで、吹鳴部５０を凹部内から離脱させることもできるので、吹鳴部５０及び第２空気孔４６の点検作業も容易に行うことができる。
【００５２】
なお、本発明の技術範囲は、上記実施形態に限定されるものではなく、本発明の趣旨を逸脱しない範囲において、種々の変更を加えることが可能である。
【００５３】
例えば、上記実施形態では、内容器２が外容器３の内面に剥離可能に積層された積層剥離型容器としたが、これに限定されるものではなく、例えば内容器２と外容器３との間に隙間が確保された二重容器としても構わない。但し、積層剥離型容器とした場合には、汎用性を高めることができるので好ましい。
【００５４】
また、上実施形態では、外気導入孔１３を容器本体４の底部４ｄに設けた場合を例にして説明したが、外気導入孔１３の位置は特に限定されるものではなく、例えば容器本体４の口部４ａに形成しても構わない。
【００５５】
また、第１空気孔３９を通して排出される空気を利用して音が鳴るように、吹鳴部５０を蓋本体３０に配設すると共に、第２空気孔４６を通した空気の排出を許容し、且つ第２空気孔４６を通した空気の流入を規制するように逆止弁４１を蓋カバー３１に配設しても構わない。この場合であっても、同様の作用効果を奏功することができる。
但し、上記実施形態のように吹鳴部５０を蓋カバー３１に配設することで明瞭に音を鳴らすことができ、使用者に報知し易くなる。
【００５６】
さらに、吹鳴部５０としては上記実施形態の構成に限定されるものではなく、排出される空気を利用して音を発生できれば構わない。例えば、排出される空気によって球体を振動させることにより、音を鳴らすように吹鳴部を構成しても構わない。
【符号の説明】
【００５７】
Ｗ…内容物
１…二重容器
２…内容器
３…外容器
４…容器本体
４ａ…容器本体の口部
５…吐出孔
６…吐出キャップ
７…蓋体
１３…外気導入孔
３０…蓋本体
３１…蓋カバー
３２…第１ヒンジ部
３３…第２ヒンジ部
３６…蓋本体の頂壁部
３９…第１空気孔
４１…逆止弁
４６…第２空気孔
４７…空気孔
５０…吹鳴部
【図１】
0006581872.tif 000002
【図２】
0006581872.tif 000003
【図３】
0006581872.tif 000004
【図４】
0006581872.tif 000005
【図５】
0006581872.tif 000006
【図６】
0006581872.tif 000007